(57)【要約】【課題】アフィリエイトを利用したインターネット販売において、アフィリエイターと販売者の結び付けを強固にする。【解決手段】商品を販売する販売者所有の販売者端末５と、複数の会員を有し個々の会員にマイページを有するコミュニティサイトを提供するＳＮ端末２と、前記コミュニティサイト１３ｃ内において前記前記販売者の商品を販売するための自己のモール運営サイトを運営する者が有するモール管理システム４を有する商品販売管理システムである。商品販売管理システム１においては、販売者が販売したいと考えている商品のうち、前記１の会員が推薦したいと考える商品を選択し、当該１の会員のマイページ１３ｃに他の会員が購入可能に掲載して、前記他の会員からの購入申込を求め、前記販売者端末に対し連絡された後に、前記１の会員に前記商品の紹介料に関する課金情報を生成する。【選択図】図４
2007164716.tif 000002
【特許請求の範囲】
【請求項１】
商品を販売する販売者が有する複数の販売者端末と、複数の会員を有し、個々の会員が書き込み可能なページが設けられたコミュニティサイトを有するコミュニティ端末とネットワークで接続されて前記販売者の商品を販売する商品販売管理システムを構成する、前記販売者の商品を販売するための自己のモール運営サイトを運営する者が有するモール管理システムであって、
前記モール管理システムは、
前記コミュニティ端末からの前記コミュニティサイトへ前記販売者の商品紹介掲載の申し込みを受け付ける申込受付手段と、
前記申込受付手段によって受け付けられた前記コミュニティサイトへの商品紹介掲載の申し込みを許可すると共に前記コミュニティサイトに前記モール管理システムの前記モール運営サイトへのリンクを形成するリンク形成手段と、
前記掲載が行われた販売者から前記コミュニティ端末へ商品掲載料の支払い管理を行う支払い管理手段とを備えることを特徴とする、モール管理システム。
【請求項２】
前記コミュニティ端末が備える前記コミュニティサイトは、複数の会員が参加し、会員の紹介によって新たな会員が参加するソーシャルネットワーキング・プログラムを実行する会員制コミュニティサイトであって、
前記コミュニティ端末は、
前記サイト中に他の会員へ向けて記事を記録するための会員ページを会員ごとに対応させて記憶する記憶部を有し、
前記会員ページには、前記商用サイトで販売されている前記販売者の商品の紹介記事及び前記商用サイトの前記販売者の商品を掲載するページへのリンク情報が記憶されていることを特徴とする、請求項１に記載のモール管理システム。
【請求項３】
商品を販売する販売者が有する複数の販売者端末と、複数の会員を有し個々の会員が書き込み可能なページが設けられたコミュニティサイトを有するコミュニティ端末とネットワークで接続されて前記販売者の商品を販売する商品販売管理システムを構成する、前記コミュニティサイト内において前記前記販売者の商品を販売するための自己のモール運営サイトを運営する者が有するモール管理システムであって、
前記モール管理システムは、
前記販売者が販売したいと考えている商品に関する情報を記憶する登録商品データベースと、
前記登録商品データベースに情報が格納された商品のうち、前記会員が販売したいと考える商品の選択を前記コミュニティ端末に対して求める、商品選択処理部と、
前記商品選択処理部の求めに対して前記１の会員によって選択された前記商品の情報を格納する商品管理データベースと、
前記商品管理データベースに格納された商品を前記１の会員のコミュニティサイトに他の会員が購入可能に掲載する処理を行う商品掲載部と、
前記商品掲載部によって前記１の会員のコミュニティサイトに掲載された商品に対し、前記他の会員からの購入申込を求める販売受付部と、
前記販売受付部によって購入申込がされた商品を前記販売者に対して通知する販売情報連絡部と、
前記販売情報連絡部によって前記販売者端末に対し連絡された後に、前記１の会員に前記商品の紹介料に関する課金情報を生成する課金情報生成部とを備えることを特徴とする、モール管理システム。
【請求項４】
商品を販売する販売者が有する複数の販売者端末と、複数の会員を有し個々の会員が書き込み可能なページが設けられたコミュニティサイトを有するコミュニティ端末とネットワークで接続されて前記販売者の商品を販売する商品販売管理システムを構成する、前記コミュニティサイト内において前記販売者の商品を販売するための自己のモール運営サイトを運営する者が有するモール管理システムを用いて商品の販売管理を行う商品販売管理方法であって、
前記販売者が販売したいと考えている商品に関する情報を商品販売管理システム内に記憶させ、
前記商品販売管理システム内に記憶された商品のうち、前記１の会員が推薦したいと考える商品の選択を前記コミュニティ端末に対して求め、
前記求めに対して前記１の会員によって選択された前記商品の情報を商品販売管理システム内に記憶させ、
商品販売管理システム内に記憶された商品を前記１の会員のコミュニティサイトに他の会員が購入可能に掲載し、
前記１の会員のコミュニティサイトに掲載された商品に対し、前記他の会員からの購入申込を求め、
前記他の会員より購入申込がされた商品を前記販売者に対して通知し、
前記販売者端末に対し連絡された後に、前記１の会員に前記商品の紹介料に関する課金情報を生成することを特徴とする、商品販売管理方法。
【発明の詳細な説明】
【技術分野】
【０００１】
本発明は、アフィリエイトオンラインショッピングなどのインターネットでユーザが電子ショッピングサイトの商品広告みてから商品を購入する電子商取引において用いられる商品のモール管理システム及び商品販売管理方法に関する。
【背景技術】
【０００２】
従来、インターネット上でユーザが電子ショッピングサイトの加盟店から商品を購入する電子商取引方法はすでに行われている。その場合、ユーザがそれぞれ、販売者のショッピングサイトに直接アクセスすることもされているが、多くはショッピングモールとして複数のショッピングサイトへのリンクを集めたサイトを用い、当該リンクからそれぞれのショッピングサイトへリンクすることによって直接購入できるようになっているものが多い。
【０００３】
このとき、ショッピングモールは、他品種の商品を取り扱うために、商品の分類を複数の大きさのカテゴリに分けて、取扱商品を分類分けして掲載している。当該ショッピングモールを介してインターネットショッピングを行う場合は、当該分類から希望の商品を絞り込んでいき、購入しようとする商品を決定することが行われる。
【０００４】
ところで、ショッピングモールを管理、運営する場合、商店を加盟店として登録し、当該加盟店からの出品を募り、これを自己のショッピングモールにおいて販売すると共に、当該モールを経由して販売された商品については、加盟店から売り上げの一部を徴収することとなる。
【０００５】
しかし、商品を販売する商店の立場では、自己のショッピングサイトへのアクセスを増やすために、多くのショッピングモールに出店したいと考えているが、ショッピングモールの数には制限があり、いろいろなモールに掛け持ちで出店できるような状況にない場合がある。一方、新たにショッピングモールを開設しようとする管理・運営者は、モール創作の前提として加盟店を集めなければならないという問題に直面するが、全国的に多数ある商店のうち、インターネットショッピングに興味がある商店を探し出して加盟店に登録させることは容易なことではない。
【０００６】
また、たとえ、新たなショッピングモールが開設できたとしても、当該ショッピングモールのサイトにアクセスするユーザの数が見込めなければ、ショッピングモールとしての経営が困難となる。
【０００７】
このため、近年ではアフィリエイトという手法によりインターネットショッピングを行う場合が多くなっている（例えば、特許文献１）。アフィリエイトとは、ショッピングモールだけではなく、個人レベルのインターネット上のサイトに商品の紹介記事を掲載してもらい、当該紹介記事をみて商品を購入した場合に、当該紹介記事を書いたアフィリエイターに売り上げの一部を支払うというものである。アフィリエイターはショッピングモールに限定されることなく無数に存在するため、商品の紹介記事が多く掲載されることになる。この結果、多くのアフィリエイターに自己の商品を掲載してもらえば、商品の売り上げが増えることとなる。
【特許文献１】特開２００２−２３６８３４号公報
【発明の開示】
【発明が解決しようとする課題】
【０００８】
しかし、アフィリエイトによっても、ユーザが当該商品の紹介記事を読んで商品購入に至らなければ商品の売り上げ向上にはならない。アフィリエイトの商品の紹介記事は、いわゆる口コミによる作用が大きい。すなわち、マスコミから発行されている広告などと比較して、知人が使用しているあるいはお勧めしているからという紹介が商品売り上げに大きな影響を与えていることが多い。すなわち、アフィリエイトの紹介記事を多くのアフィリエイターに掲載してもらったところで、当該アフィリエイターの知人には商品の紹介は効果があるかもしれないが、無関係のユーザにはあまり効率がよくない場合もある。また、アフィリエイターとしては、知人に商品を紹介するという行為を行うこととなるため、例えば、自分が使ってみてよかったなど安心して紹介できる商品を掲載しようとする心理が働く。したがって、無作為に選ばれた商品を多数紹介するというようなことは避けたいという気持ちがある。
【０００９】
すなわち、アフィリエイターとしては、安心できる商品をいかに探し出し、また、自己のページをみてくれる知人をいかに増やすかという点が商品の売り上げを左右すると共に、販売者としては、知人が多いアフィリエイターをいかに見つけ出し、紹介してもらうかという点が商品売り上げを向上させるための重要な要素となる。
【００１０】
したがって、本発明が解決しようとする技術的課題は、アフィリエイトを利用したインターネット販売において、アフィリエイターと販売者の結び付けを強固にすることにより商品販売者にとっては販売量を増大することができ、一方、ショッピングモール運営者には、ユーザを増大させることができると共に、運営を容易にすることができる商品の販売管理システムを提供することである。
【課題を解決するための手段】
【００１１】
本発明は、前記技術的課題を解決するために、以下の構成のモール管理システムを提供する。
【００１２】
本発明の第１態様によれば、商品を販売する販売者が有する複数の販売者端末と、複数の会員を有し、個々の会員が書き込み可能なページが設けられたコミュニティサイトを有するコミュニティ端末とネットワークで接続されて前記販売者の商品を販売する商品販売管理システムを構成する、前記販売者の商品を販売するための自己のモール運営サイトを運営する者が有するモール管理システムであって、
前記モール管理システムは、
前記コミュニティ端末からの前記コミュニティサイトへ前記販売者の商品紹介掲載の申し込みを受け付ける申込受付手段と、
前記申込受付手段によって受け付けられた前記コミュニティサイトへの商品紹介掲載の申し込みを許可すると共に前記コミュニティサイトに前記モール管理システムの前記モール運営サイトへのリンクを形成するリンク形成手段と、
前記掲載が行われた販売者から前記コミュニティ端末へ商品掲載料の支払い管理を行う支払い管理手段とを備えることを特徴とする、モール管理システムを提供する。
【００１３】
本発明の第２態様によれば、前記コミュニティ端末が備える前記コミュニティサイトは、複数の会員が参加し、会員の紹介によって新たな会員が参加するソーシャルネットワーキング プログラムを実行する会員制コミュニティサイトであって、
前記コミュニティ端末は、
前記サイト中に他の会員へ向けて記事を記録するための会員ページを会員ごとに対応させて記憶する記憶部を有し、
前記会員ページには、前記商用サイトで販売されている前記販売者の商品の紹介記事及び前記商用サイトの前記販売者の商品を掲載するページへのリンク情報が記憶されていることを特徴とする、第１態様のモール管理システムを提供する。
【００１４】
本発明の第３態様によれば、商品を販売する販売者が有する複数の販売者端末と、複数の会員を有し個々の会員が書き込み可能なページが設けられたコミュニティサイトを有するコミュニティ端末とネットワークで接続されて前記販売者の商品を販売する商品販売管理システムを構成する、前記コミュニティサイト内において前記前記販売者の商品を販売するための自己のモール運営サイトを運営する者が有するモール管理システムであって、
前記モール管理システムは、
前記販売者が販売したいと考えている商品に関する情報を記憶する登録商品データベースと、
前記登録商品データベースに情報が格納された商品のうち、前記会員が販売したいと考える商品の選択を前記コミュニティ端末に対して求める、商品選択処理部と、
前記商品選択処理部の求めに対して前記１の会員によって選択された前記商品の情報を格納する商品管理データベースと、
前記商品管理データベースに格納された商品を前記１の会員のコミュニティサイトに他の会員が購入可能に掲載する処理を行う商品掲載部と、
前記商品掲載部によって前記１の会員のコミュニティサイトに掲載された商品に対し、前記他の会員からの購入申込を求める販売受付部と、
前記販売受付部によって購入申込がされた商品を前記販売者に対して通知する販売情報連絡部と、
前記販売情報連絡部によって前記販売者端末に対し連絡された後に、前記１の会員に前記商品の紹介料に関する課金情報を生成する課金情報生成部とを備えることを特徴とする、モール管理システムを提供する。
【００１５】
本発明の第４態様によれば、商品を販売する販売者が有する複数の販売者端末と、複数の会員を有し個々の会員が書き込み可能なページが設けられたコミュニティサイトを有するコミュニティ端末とネットワークで接続されて前記販売者の商品を販売する商品販売管理システムを構成する、前記コミュニティサイト内において前記前記販売者の商品を販売するための自己のモール運営サイトを運営する者が有するモール管理システムを用いて商品の販売管理を行う商品販売管理方法であって、
前記販売者が販売したいと考えている商品に関する情報を商品販売管理システム内に記憶させ、
前記商品販売管理システム内に記憶された商品のうち、前記１の会員が推薦したいと考える商品の選択を前記コミュニティ端末に対して求め、
前記求めに対して前記１の会員によって選択された前記商品の情報を商品販売管理システム内に記憶させ、
商品販売管理システム内に記憶された商品を前記１の会員のコミュニティサイトに他の会員が購入可能に掲載し、
前記１の会員のコミュニティサイトに掲載された商品に対し、前記他の会員からの購入申込を求め、
前記他の会員より購入申込がされた商品を前記販売者に対して通知し、
前記販売者端末に対し連絡された後に、前記１の会員に前記商品の紹介料に関する課金情報を生成することを特徴とする、商品販売管理方法を提供する。
【発明の効果】
【００１６】
本発明によれば、複数の会員を有するコミュニティサイト内において、ショッピング機能を付与することができるため、当該会員同士の密接なつながりを利用して商品の紹介、購入を行うことができる。また、商品を紹介した会員にとっては、自分の紹介を介して他の会員が商品を購入すると課金情報が発生するため、商品紹介の動機付けとなる。また、商品を紹介するページが自分のページであり、知人が頻繁に閲覧することから、自己が自信を持ってお勧めできる商品以外の掲載をやめる方向に意識が働き、よい商品の選別が行われるとともに、むやみな商品紹介が行われることがない。
【発明を実施するための最良の形態】
【００１７】
以下、本発明の一実施形態に係る商品の販売管理システムについて、図面を参照しながら説明する。
【００１８】
本実施形態にかかる商品の販売管理システムは、図１に示すようなネットワーク構成を有するシステムである。すなわち、商品の販売管理システム１は、コミュニティ端末としてのソーシャルネットワーキング端末２（以下、ＳＮ端末と略記する。）、複数の販売者端末５、モール管理システム４、会員端末３を備え、それぞれがインターネットで接続されている。
【００１９】
ＳＮ端末２は、本実施形態では、それぞれがソーシャルネットワーキング・プログラムを実行する会員制コミュニティサイトを管理・運用する端末である。それぞれのＳＮ端末２が独自に運営する。会員制コミュニティサイト自体は、後述するモール管理システム４との提携よりアフィリエイト機能を有するという特徴を除けば従来から広く用いられているものである。会員制コミュニティサイトは、複数の会員を有し、新たな会員は、会員の紹介によってのみ参加することができるようになっている。会員制コミュニティサイトは、インターネット上のいずれのノードに存在していてもよく、必ずしもＳＮ端末２に格納されている必要はないが、本実施形態では、会員制コミュニティサイトはモール管理システム４をＵＲＬサーバとして構成されている場合について説明する。
【００２０】
会員端末３は、モール管理者により管理・運営されている会員制コミュニティサイトの会員が利用する端末である。会員端末の会員は、会員制コミュニティサイトに自己のページ（以下、マイページと略記する。）をそれぞれ有し、当該マイページに記事を入力して他の会員に発信することができるようになっている。以下、本実施形態において、会員制コミュニティサイトの会員のうち特定のマイページを所有する会員を特定する用語として、所有会員を用いる。所有会員は、本実施形態においては、アフィリエイターとして機能することとなる。また、会員は他の会員のマイページにコメントなどの情報を入力することができるようになっており、会員制コミュニティサイトのマイページを介して会員同士のコミュニケーションがとれるようになっている。以下、会員制コミュニティサイトの会員のうち他の会員のマイページを閲覧している会員を特定する用語として、閲覧会員を用いる。また、会員制コミュニティサイトの会員は、両当事者の了解のもとで当該サイトの他の会員を友人として登録することができる。会員制コミュニティサイトの会員のうち友人として登録されている会員を特定する用語として友人会員を用いる。
【００２１】
モール管理システム４は、少なくとも１以上のＳＮ端末２と提携して、それぞれのＳＮ端末２が管理・運営する会員制コミュニティサイトにおいて、それぞれの会員制コミュニティサイト内にショッピング機能を与えるためのものである。図１では、３つのＳＮ端末２と提携し、それぞれのＳＮ端末２が運営する会員制コミュニティサイトにショッピング機能を与えている。モール管理システム４は、本実施形態においては１つのセンターサーバ４ａと複数のフロントサーバ４ｂとを備える。フロントサーバ４ｂは、それぞれモール管理システム４と提携した１または複数のＳＮ端末２と接続され、ＳＮ端末２が管理・運営する会員制コミュニティサイト内での統計処理を主に行うサーバである。
【００２２】
一方、センターサーバ４ａは、それぞれの会員制コミュニティサイトにおいてショッピングを行うための販売者を一括で管理すると共に、当該フロントサーバ４ｂによって統計処理されたショッピングの情報を一括で集計し、例えば、販売者への売り上げ管理などの統計処理を行う。センターサーバ４ａは、商品の販売を行う販売者を加盟店として登録すると共に、当該加盟店の商品を販売するための登録に用いられるアフィリエイトサイトを有する。センターサーバ４ａには、販売店の情報、取り扱う商品の分類表などのアフィリエイトサイトを管理・運営するための情報が格納されている。アフィリエイトサイトは、加盟店の商品の販売に用いるサイトであり、モール管理システム４が管理・運営する。本実施形態においては、アフィリエイトサイトは、ＳＮ端末２が独自に管理・運営する会員制コミュニティサイト内での商品販売において用いられており、会員制コミュニティサイトにアフィリエイトサイトにより管理・運営されるインターネットショッピングモールを貸し出しする形になっている。アフィリエイトサイトは、インターネット上のいずれのノードに存在していてもよく、必ずしもセンターサーバ４ａに格納されている必要はないが、本実施形態では、アフィリエイトサイトはセンターサーバ４ａをＵＲＬサーバとして構成されている場合について説明する。
【００２３】
販売者端末５は、商品を販売しようとする販売者が所有する端末であり、汎用のコンピュータを使用することができる。販売者は、ＳＮ端末２が独自に管理・運営する会員制コミュニティサイト内で自己の商品を販売するための商用サイト（以下、ＥＣサイトと略記する。）によって商品の販売を行う。ＥＣサイトには、自己の商品を販売するための紹介文、画像、購入申込及び支払いなどに関する情報が掲載されており、ＥＣサイトを用いて商品を購入しようとする者が、自ら操作する端末からアクセスして利用する。また、販売者端末は、後述するようにＳＮ端末２に商品の販売の申込み及び登録を行い、自己の商品をＳＮ端末２が管理するアフィリエイトサイトを通じて販売する。
【００２４】
モール管理システム４は、後述するようにセンターサーバ４ａ内のアフィリエイトサイトに複数の販売者端末の登録を行っており、それぞれの販売者端末が販売しようとする商品の販売を管理するショッピングモールサイトとして機能することができる。本実施形態においては、上記のように、会員制コミュニティサイトとアフィリエイトサイトが別の運営者において運営されており、両サイト間の提携の確立する必要がある。本実施形態では、会員制コミュニティサイトからの申込を受けてモール管理システム４が管理・運営するショッピングモールサイトを会員制コミュニティサイトに貸し出すようになっている。
【００２５】
図２は、会員端末に表示される会員制コミュニティサイトのトップページの画面表示例を示す図である。会員制コミュニティサイトは、各会員がそれぞれ所有するマイページ１０上に、所有会員の写真や挨拶文１１，会員が発信する情報を記入するための情報入力部１３が設けられている。当該情報入力部は、ブログ１３ａ、プロフィール１３ｂ、お勧めの商品などを記入するお勧め１３ｃなどをタグで選択することにより、表示されるページの切換がされるように構成されている。
【００２６】
お勧めのタグを選択すると、例として図２Ｂに示すような当該会員がお勧めする商品の紹介を行うアフィリエイトページ１３ｃが表示される。当該ページは、センターサーバ４ａのアフィリエイトサイトに登録されている商品を掲載するページである。当該ページは、アフィリエイトサイトに登録されている商品の中から、所有会員が紹介したいと考える商品１４を登録し、センターサーバ４ａにあらかじめ格納されているその写真画像１５、紹介記事１６に基づいて掲載することができる。なお、掲載される商品の順序は並べ替えに関するプルダウンメニュー１８ｂを操作することで適宜変更することができる。この掲載順序の変更についての処理の詳細は後述する。
【００２７】
また、アフィリエイトページ１３ｃには、例えば、当該商品を購入した他の会員についてのコメント１７などの情報が掲載されている。なお、紹介記事やコメントは、それぞれ対応する編集ボタン１９ａ、１９ｂを操作することにより行うことができる。また、アフィリエイトリンクボタン１８ａが設けられており、当該ボタンを操作することで、後述するセンターサーバ４ａのアフィリエイター用トップ画面１００２（図６Ｂ参照）へ移行する。
【００２８】
図３は、会員制コミュニティサイトのＳＮ端末２の概略構成を示すブロック図である。ＳＮ端末２は、インターネットへ接続されたサーバシステムであり、汎用コンピュータを用いることができる。ＳＮ端末２には、当該端末の制御演算を司る制御演算部２０，インターネットとの送受信を司る通信制御部２１、会員制コミュニティサイトのプログラムが格納されたメインプログラム２２、インターネットを介して会員制コミュニティサイトのフレームなどのｗｅｂデータが格納するｗｅｂデータ２３、会員制コミュニティサイトの会員に関する情報を格納するデータベースである会員データベース２４、当該会員の友人会員の管理情報を格納する会員情報管理データベース２５、当該会員制コミュニティサイトにおいて行われるアフィリエイトに関する種々のデータ、プログラムを格納するアフィリエイトモジュール２６が設けられている。アフィリエイトモジュール２６は、後述するＳＮ端末２とモール管理システム４との接続を確立する場合に、モール管理システム４のフロントサーバ４ｂから送信されＳＮ端末２にインストールされるプログラムモジュールであり、ＳＮ端末２が管理・運営する当該会員制コミュニティサイト内において行われるアフィリエイトに関する処理を行うプログラム及びこれらに用いられるデータである。
【００２９】
ｗｅｂデータ２３は、主に全ての会員制コミュニティサイトの会員のマイページを格納すると共に、当該マイページに関する関連データを格納するデータベース機能を有する。ｗｅｂデータ２３の情報は、後述するようにＳＮ端末２の制御演算部２１やモール管理システム４から発信される信号によって適宜更新される。
【００３０】
会員データベース２４は、例えば、会員を識別するための会員ＩＤ、ログインパスワード、会員に関する氏名や住所などの情報、取得ポイント数など会員制コミュニティサイトにおいて、会員に関する情報を格納するデータベースである。
【００３１】
会員情報管理データベース２５は、会員制コミュニティサイトの会員と他の会員の関係についての管理を行うものであり、例えば、友人として登録されている友人会員の会員ＩＤ、所有会員のマイページをどの会員がいつ閲覧したのかの閲覧履歴及び閲覧回数など会員間の関係についての情報を会員ごとに格納するデータベースである。
【００３２】
アフィリエイトモジュール２６は、当該会員制コミュニティサイトにおいて商品販売を行う場合に必要となる情報を格納する。アフィリエイトモジュール２６は、ＳＮ端末２が商品販売のための提携を行う場合に、フロントサーバ４ｂから送信され、ＳＮ端末２内に設けられるプログラムモジュールである。アフィリエイトモジュール２６についての具体的な構成は後述するが、会員制コミュニティサイトの会員が過去に購入した商品の履歴情報、お勧めする商品など各会員の商品売買に関する管理情報、販売者端末が取り扱う商品の種類を示すためのＩＤや画像、販売価格、商品名などの商品に関する情報などを格納すると共に購入履歴作成などの処理演算を行う。
【００３３】
次に、本会員制コミュニティサイトにおいて、商品の売買の各端末の位置づけについて図４を参照して説明する。以下、１つのＳＮ端末２について着目し、１つのＳＮ端末において管理・運営される会員制コミュニティサイトとの提携が完了していることを前提として説明を進める。
【００３４】
販売者端末５は、上述のようにセンターサーバ４ａに出品の申し出を行い、商品の登録を行う（矢印１０１参考）。アフィリエイトサイトに登録された商品はセンターサーバ４ａのアフィリエイトサイトに登録され、所有会員がマイページに掲載する商品を検索・選択する場合に閲覧することにより、商品選択の参考にすることができる。所有会員が選択した商品は、上述した本会員制コミュニティサイトの当該所有会員のアフィリエイトページ１３ｃにお勧め商品として掲載される。このとき、アフィリエイトサイトに掲載されている商品の画像、名称、値段、基本的な商品紹介文などの販売に関する情報は、モール管理システムから送信されて会員制コミュニティサイトのアフィリエイトページ１３ｃに掲載（矢印１０３）され、当該所有会員のアフィリエイトページにおいて、閲覧会員が商品を購入する場合の参考にすることができる。
【００３５】
１の会員のアフィリエイトページ１３ｃを会員制コミュニティサイトの閲覧会員が閲覧し（矢印１０４）、掲載された商品を購入申し込みすると（矢印１０５）、アフィリエイトページから販売者端末の商品を掲載しているＥＣサイトへリンクし（矢印１０６）、当該ＥＣサイトにて商品の購入を行うことができる。
【００３６】
閲覧会員がＥＣサイトにて購入した商品は販売者から各購入者である閲覧会員へ発送される（矢印１０７）。また、モール管理システム４に売上代金の一部を支払うための課金情報がフロントサーバ４ｂ内に作成される（矢印１０８）と共に、当該商品を紹介した会員にポイントを発生させる（矢印１０９）。また、商品を購入した会員にも購入ポイントを発生させる（矢印１１０）。
【００３７】
以下、これらの各端末の位置づけを具体的に実現するための構成について説明する。まず、モール管理システム４について説明する。図５は、モール管理システム４の概略構成を示すブロック図である。モール管理システム４は、上述のようにセンターサーバ４ａとフロントサーバ４ｂとを備えている。センターサーバ４ａは、インターネットを介する通信を制御する通信制御部３０、制御演算を司る制御演算部３１、販売者データベース３２，登録商品データベース３３、ｗｅｂデータ３４、商品分類テーブル３５、プログラム３６を備える。また、フロントサーバ４ｂは、インターネットを介する通信を制御する通信制御部３７、制御演算を司る制御演算部３８、ｗｅｂデータ３９、会員情報データベース４０、プログラム４１、コメントデータベース４２、購入予定品データベース４３、所有会員がアフィリエイトページ１３ｃに掲載させるために選択した商品ごとに購入者の情報、商品の価格、登録日などの情報、当該マイページのアフィリエイトページ１３ｃを介してどの会員が商品を購入したのかの商品購入履歴及び回数などの情報が格納される商品管理情報データベース４４、会員が購入した商品の履歴情報が格納される購入商品履歴データベース４５を備える。なお、センターサーバ４ａとフロントサーバ４ｂの各データベースに格納されているデータはＮＦＳによって共有されており、それぞれの制御演算部３７は自由に操作することができるように構成されている。
が設けられている。
【００３８】
モール管理システム４のセンターサーバ４ａは、所定のＵＲＬにアクセスした端末に、図６Ａ、６Ｂに示すようなトップ画面１００１，１００２を表示する。これらのトップ画面のデータは、センターサーバ４ａのｗｅｂデータ３４に格納されている。トップ画面としては、販売者により操作された販売者端末に表示される図６Ａに示す販売者用トップ画面１００１と、会員制コミュニティサイトの会員が会員制コミュニティサイトからリンクによってアクセスした場合に表示される図６Ｂに示すアフィリエイター用トップ画面１００２が用意されている。
【００３９】
販売者用トップ画面１００１は販売者登録ボタン１００３，商品登録ボタン１００４，払い管理ボタン１００５を備える。アフィリエイター用トップ画面１００２は販売者一覧ボタン１００６，商品検索ボタン１００７，ポイント確認ボタン１００８を備える。
【００４０】
いずれかのトップ画面１００１，１００２が表示されている間、センターサーバ４ａの制御演算部３０は、トップ画面に表示されているボタンが押されるまで、ループ処理を行い、所定のボタンが押されることによりそのボタンに付与された各種処理を開始する。まず、販売者端末が販売者登録ボタン１００３を操作し、矢印１０１で示された販売者端末５がＳＮ端末２に出品の申し出を行う処理について説明する。
【００４１】
図７は、販売者端末が販売者用トップ画面１００１の販売者登録ボタンを操作したときに表示される画面の表示例である。この画面は、販売者がＳＮ端末２に加盟店として登録する画面であり、パスワード１０１１、名称１０１２，住所１０１３，販売サイト（ＥＣサイト）ＵＲＬ１０１４，Ｅメールアドレス１０１５を入力する入力欄が設けられている。販売者が当該入力欄に所定の情報を入力し、センターサーバ４ａに送信すると、センターサーバ４ａは、当該送信者に対して販売者ＩＤを付与すると共に、販売者データベース３２にこれらの情報を格納する。制御演算部３１は、これらの処理が終了すると、登録が完了した旨及び販売者ＩＤとログインパスワードをＥメールアドレス入力欄１０１５に入力されたメールアドレスに送信する。これにより、販売者のセンターサーバ４ａへの販売者の登録処理が完了する。このときに付与された販売者ＩＤは、販売者を識別するための識別情報として機能する。
【００４２】
次に、販売者の登録が完了された販売者は、本販売管理システムを利用して販売したい商品をセンターサーバ４ａへ登録する。この処理は、トップ画面１００１の商品登録ボタン１００３を登録された販売者が操作することにより開始される。商品登録ボタン１００４を操作すると、図８に示す商品登録画面１０２０が表示される。この画面は、販売者がセンターサーバ４ａに会員制コミュニティサイト内で販売したい商品を登録する画面であり、商品名１０２１、紹介文１０２２，商品分類１０２３，希望価格１０２４，商品画像１０２５、紹介料率１０２６を入力する入力欄が設けられている。販売者は、販売したい商品について、それぞれの入力欄に所定の情報を入力する。ここで、商品分類の入力欄１０２３は、センターサーバ４ａの商品分類テーブル３５を参考に入力する。商品分類は、例えば、食料品、衣料品、本・ＣＤ・ＤＶＤ、レジャー用品などの大分類に分けられており、それぞれの分類がさらに詳細に小分類に分けられている。小分類は、多階層構造となっていてもよい。販売者は自己の販売しようとする商品がどの分類に属するのかを自らの判断により決定し、当該分類を入力する。また、紹介料率１０２６は、会員制コミュニティサイトの会員が紹介して当該商品が売れた場合に会員に還元されるポイントの演算基準として用いられるものであり、売価に対する割合を示す情報である。例えば、３％、５％、１０％などの数値を入力する。当該紹介料率が高ければ多くの会員に紹介してもらいやすくなるという利益を受けることができる一方、売価に対する支払額が増えるため、利益が少なくなるという不利益が大きくなる。
【００４３】
これらの入力された情報がセンターサーバ４ａに送信されると、センターサーバ４ａは、当該商品に対して商品ＩＤを付与すると共に、登録商品データベース３３にこれらの情報を格納する。また、当該商品の購入に用いられるためのＥＣサイト（図１２参照）を作成する。商品ＩＤは、以下、当該商品を識別する識別情報として機能する。制御演算部３１は、これらの処理が終了すると、商品の登録が完了した旨、ＥＣサイトのＵＲＬ及び商品ＩＤを販売者データベース３２に格納されているＥメールアドレスに送信する。これにより、販売者のセンターサーバ４ａへの商品登録処理が完了する。
【００４４】
次に、会員制コミュニティサイトの会員がアフィリエイトサイトに登録された販売者の商品を選択し、自己のアフィリエイトページ１３ｃに掲載するための商品リンクを作成する（矢印１０３）。図９は、アフィリエイトページ１３ｃに商品リンクを作成する処理の流れを示すフローである。この処理を行う場合は、会員制コミュニティサイトの所有会員はマイページに設けられるアフィリエイトリンクボタン１８ａを操作して、アフィリエイトサイトのアフィリエイター用トップ画面１００２にアクセスする（ＳＢ１）。次いで、アフィリエイター用トップ画面１００２（ＳＡ１）に設けられている販売者一覧ボタン１００６または商品検索ボタン１００７を操作（ＳＢ２）し、自己のアフィリエイトページに登録したい商品を選択する。販売者一覧ボタン１００６は、センターサーバ４ａの販売者データベース３２に登録されている販売者を一覧で表示し、当該販売者の情報を主に用いて、アフィリエイトページに掲載する商品の検索、選択を行う場合に利用される。商品検索ボタン１００７は、登録商品データベース３３の商品ごとの分類に基づいて商品の種別の情報を基準としてアフィリエイトページに掲載する商品の検索、選択を行う場合に利用される。以下、商品検索ボタン１００７を操作した場合について説明を続ける。
【００４５】
商品検索ボタン１００７を操作（ＳＢ２）すると、図１０に例示する商品検索画面が表示される（ＳＡ２）。商品分類が表示され、当該商品分類の中から下位の分類に移行し、最終的に希望する商品の分類に含まれる商品を検索する。図１０は、商品検索画面の画面表示例である。図１０には、商品分類の選択がすすみ、商品が画面に表示されている状態を示している。この画面においては、商品分類に関する情報１０３１と商品に関する情報１０３２が表示される。商品に関する情報は、登録商品データベース３３に格納されている情報であり、これらの中から商品分類が上記商品分類情報と一致する商品が検索されて表示される。商品に関する情報１０３２としては、商品画像１０３３，商品名１０３４，販売価格１０３５、紹介料率１０３６，選択ボタン１０３７が表示されている。会員制コミュニティサイトの所有会員はこれらの情報を確認して、当該商品を選択したい場合は、選択ボタン１０３７を操作することにより、この商品を選択（ＳＢ３）することができる。選択された商品は、当該選択日時の情報と共に登録される。商品選択の情報がセンターサーバ４ａに送信されると、センターサーバ４ａは、当該情報をフロントサーバ４ｂに送信する（ＳＡ３）。
【００４６】
フロントサーバ４ｂは、センターサーバ４ａからどの会員がどの商品を選択したかの情報を受信（ＳＣ１）すると、会員情報データベース４０を更新すると共に、当該会員のアフィリエイトページ１３ｃにこの商品の情報を追加するようにアフィリエイトページ１３ｃの更新を行う（ＳＣ２）。このときに更新される情報としては、登録商品データベース３３に格納されている商品の名称、画像、値段などの情報であり、これらの情報アフィリエイトモジュール２６（商品管理情報データベース４４（図１１参照））に格納される。会員制コミュニティサイトの所有会員は、当該情報に加えて自己の商品紹介記事を追加することができる。この処理は、アフィリエイトページの編集ボタン１９ａを操作することにより行うことができる。
【００４７】
当該会員制コミュニティサイトの所有会員が商品の紹介記事の編集ボタン１９ａを操作すると、制御演算部２１は、当該ログインに用いられた会員ＩＤと表示されているマイページとの会員ＩＤを比較し、一致している場合に限り、紹介記事１６の編集を許可する。このようにして、会員制コミュニティサイトのアフィリエイトページの編集が終了すると、当該編集追加された記事に関する情報がフロントサーバ４ｂの会員情報データベース４０に格納され、アフィリエイトページに追加されるようにアフィリエイトページを更新する（ＳＣ３）。
【００４８】
次に会員制コミュニティサイトの会員の他の会員である閲覧会員が、当該会員のアフィリエイトページを閲覧して商品を購入する処理について説明する。まず、上述したように、１の所有会員のアフィリエイトページ１３ｃを会員制コミュニティサイトの他の閲覧会員が閲覧（矢印１０４）する際の動作について説明する。
【００４９】
アフィリエイトページには、上述のように、所有会員が選択した商品が掲載されている。なお、アフィリエイトページ１３ｃに掲載される商品の掲載順序は、並べ替えに関するプルダウンメニュー１８ｂを操作することにより、適宜変更することができる。表示順序は、アフィリエイトページの所有者である所有会員が新しく登録した商品を上位に配置する「登録日順」、当該アフィリエイトページ１３ｃに表示されている商品のうち、売れている商品が上に配置されるように掲載順序を決定する「売れている順」、当該アフィリエイトページを閲覧している閲覧会員と親密な会員（すなわち、当該閲覧会員のマイページをよく閲覧している会員）が購入した商品を上位に配置する「親しい友人順」である。具体的にこの掲載順序の切換をどのように行うかの処理について説明する。この処理は、主にアフィリエイトモジュール２６が司る。
【００５０】
アフィリエイトモジュール２６は、上述したように、モール管理システム４からＳＮ端末２が受信して実装する機能ブロックである。図１１は、アフィリエイトモジュール２６の構成を示すブロック図である。アフィリエイトモジュール２６は、各種演算を行う演算機能部５１とアフィリエイトデータ部５２とを備える。
【００５１】
また、アフィリエイトデータ部５２には、アフィリエイトに関する各種データが格納されている。具体的には、会員が購入した商品の履歴情報が格納される購入商品ログ５２ａを備える。購入商品履歴ログ５２ａの情報は、定期的にフロントサーバ４ｂに送信され、商品管理情報データベース４４に格納される。
【００５２】
まず、登録日順に商品を並べ、アフィリエイトページ１３ｃに掲載する場合について説明する。上述のように、商品管理情報データベース４４には、所有会員が選択した商品が選択された日時の情報と共に格納されている。アフィリエイトページ１３ｃを登録日順に商品掲載する場合、当該商品管理情報データベース４４に格納されている登録日の情報に基づいて、アフィリエイトページ１３ｃに掲載される商品の掲載順序をソートし、当該順序にてアフィリエイトページ１３ｃに掲載する。
【００５３】
次に、売れている商品が上に配置されるように掲載順序を決定する「売れている順」に商品をアフィリエイトページ１３ｃの掲載する場合については、購入商品履歴データベース５２ａに格納されている商品の販売回数の情報に基づいて行う。すなわち、商品管理情報データベース４４に格納されている商品の販売回数から販売回数が多い順に当該商品を並べ換え、アフィリエイトページ１３ｃに掲載される商品の掲載順序を変更して、当該順序にてアフィリエイトページ１３ｃに掲載する。
【００５４】
当該アフィリエイトページを閲覧している閲覧会員と親密な会員（すなわち、自己のマイページをよく閲覧している会員）が購入した商品を上位に配置する「親しい友人順」に商品を掲載する場合については、会員情報データベース２５の情報に基づいて商品の掲載順序を変更する。すなわち、当該アフィリエイトページを閲覧している会員の情報を読み出し、会員情報データベース２５から当該会員の友人の情報を会員情報データベース２５から検索する。そして、検索された友人の情報を商品管理情報データベース４４に格納されている商品の購入者の情報とマッチングさせ、商品の掲載順序をソートし、当該順序にてアフィリエイトページ１３ｃに掲載する。「親しい友人順」に商品を掲載することにより、知人が過去に当該商品を購入しているなどの情報を入手することができるため、商品購入への参考にすることができる。例えば、購入予定の商品につき、知人が購入しているので安心して購入することができたり、例えば商品が洋服などの服飾品の場合などは、同じものの購入を控えたりするなどの判断の資料とすることができる。
【００５５】
他の会員のアフィリエイトページ１３ｃを閲覧した閲覧会員は、上述のように、当該閲覧しているアフィリエイトページ１３ｃ上にコメントを追加したり、商品の購入申込（矢印１０５参照）を行うことができる。
【００５６】
まずコメントの追加について説明する。コメントの追加は、アフィリエイトページの編集ボタン１９ｂ（図２Ｂ参照）を操作することにより行う。当該会員制コミュニティサイトの閲覧会員が商品のコメントの編集ボタン１９ｂを操作すると、制御演算部２１は、当該ログインに用いられた会員ＩＤと、表示されているマイページを所有する会員の会員ＩＤを比較し、異なっている場合に限り、コメント１７の編集を行えるようにする。コメントの追加が終了すると、当該コメントのデータはフロントサーバ４ｂのコメントデータベース（図５参照）どのマイページのどの商品に付したコメントであるのかの情報とともに追加、格納される。
【００５７】
商品の購入申込の処理について説明する。アフィリエイトページ１３ｃに掲載されている商品１４（図２Ｂ参照）の情報をクリックすると、当該商品のＥＣサイトへ移行し購入の手続を進めることができる。図１２はＥＣサイトの画面表示例である。ＥＣサイトには、当該アフィリエイトページ１３ｃに掲載された商品のうち、閲覧会員がリンク先へ移動した商品の詳細情報及び購入手続を進めるための機能ブロックが表示される。具体的には、紹介記事１０４１，商品画像１０４２、商品情報１０４３，購入数量１０４４，購入ボタン１０４５，未来ショップ追加ボタン１０４６、友人コメント１０４７などが掲載されている。このうち、商品画像１０４２、商品情報１０４３は、センターサーバ４ａの登録商品データベース３３に格納された情報を用いて表示される。また、紹介記事１０４１は、所有会員が自己のアフィリエイトページ１３ｃに掲載している当該商品の登録商品データベース３３に格納された紹介記事が表示される。また、友人コメント１０４７は、閲覧会員の友人のうち、当該商品を購入した友人が当該商品について投稿したコメント１０４７がコメントデータベース４２より検索されて表示される。
【００５８】
未来ショップ追加ボタン１０４６は、当該購入ページをみた閲覧会員が現時点では購入しないが当該商品に興味を持った場合に操作する。当該ボタン１０４６を操作すると、商品ＩＤが当該閲覧会員の購入予定品データベース４３に設けられている未来ショップリストの情報に追加される。当該リストに追加可能な商品の数については、上限を定めてもよい。当該リストは、当該閲覧会員がほしい商品を並べたリストであり、友人会員に公開することができる。公開の手法としては、例えば、当該閲覧会員の誕生日が近くなると友人会員に電子メールなどで送信し、贈り物のための参考リストとして機能させることができる。
【００５９】
当該ＥＣサイト１０４０から商品の購入を行おうとするものは、数量１０４４に購入希望個数を入力し、購入ボタン１０４５を押下する。これにより商品の購入を行うことができる。
【００６０】
閲覧会員が購入ボタン１０４５を操作すると、図示しない情報入力画面に切り替わり、当該画面において送信先や支払い方法などの必要な情報を入力して商品購入を実行する。この購入実行がなされると、アフィリエイトモジュール２６の演算機能部５１は、リンク元であるアフィリエイトページ１３ｃの所有会員と閲覧会員の会員ＩＤがＳＮ端末２に送信する。これらの情報をＳＮ端末２が受信すると、当該所有会員のアフィリエイトページ１３ｃを介して閲覧会員が商品を購入したことが会員情報データベース４０に格納される。また、購入会員の購入履歴の情報が商品管理データベース４４に格納されると共に、閲覧会員が購入した商品の履歴情報が購入商品ログ５２ａに格納され、所定期間後にフロントサーバの購入商品履歴データベース４５に送信される。さらに、販売者データベース３２に販売者である加盟店の売り上げ情報が格納される。これらの情報は、後述する所有会員への紹介ポイントの算定、購入者である閲覧会員への購入ポイントの算定及び、販売者への商品紹介の紹介手数料の算定に用いられる。
【００６１】
また、フロントサーバ４ｂからセンターサーバ４ａを介して販売者端末５へ商品が購入された旨の情報が送信される。具体的には、商品ＩＤ、販売個数、購入者の情報、当該商品の送付先の情報などの情報が送信される。これらの情報を受けた販売者端末５は、商品の発送処理を行い、当該販売された商品を指定された発送先へ発送する。
【００６２】
本実施形態においては、所有会員のアフィリエイトページを介して閲覧会員が商品を購入した場合、上述のように所有会員に紹介ポイント（矢印１０９）が、閲覧会員に購入ポイント（矢印１１０）がそれぞれ発生する。当該ポイントは、会員情報管理データベース２５に格納される。当該紹介ポイントは、当該商品を登録した際に販売者が決定入力した紹介料率１０２６の情報に基づいて決定される。また、購入ポイントは、当該商品の購入価格に基づいて決定される。これらのポイントは商品を購入するときに用いることができる。なお、自己のアフィリエイトページを介して所有会員自体が商品を購入した場合は、紹介ポイントが発生しないようになっている。具体的にはＳＮ端末２に送信されるリンク元であるアフィリエイトページ１３ｃの所有会員と閲覧会員の会員ＩＤの情報が一致しているかどうかを判断し、一致している場合は、紹介ポイント発生の処理を行わないように処理している。このように、会員に対する紹介料などをポイント制にすることにより、他の会員経由で商品購入が積極的にされ、健全なショッピングモールの活性化につながる。
【００６３】
また、ＳＮ端末２は、当該商品が販売された販売者に対し、紹介料の課金処理を行う（矢印１０８）。具体的には、販売者ＩＤにより特定される販売者に対し、販売価格の所定割合の紹介料を差し引いた額の課金情報を作成し販売者データベース３２に格納する。これらの課金情報は、例えば、１箇月などの所定期間ごとに集計され、所定期間単位に販売者に支払われる。
【００６４】
上記説明においては、会員制コミュニティサイトがアフィリエイトサイトのショッピングモールの利用を提携していたことが前提となっているが、会員制コミュニティサイトがアフィリエイトサイトに提携を確立する処理が必要である。この動作処理について以下説明する。
【００６５】
まず、ＳＮ端末２が管理・運営する会員制コミュニティサイトが、当該モール管理システム４が運営するショッピングモールと提携し、商品の販売管理システムとするためには、まず、ＳＮ端末２がモール管理システム４に提携の申込を行うことが必要となる。具体的には、アフィリエイトサイトへ広告掲載の申込に関する情報をモール管理システム４に送信する。当該情報を受け付けたモール管理システム４は当該申込に対して許可を与えると共に、ＳＮ端末２へアフィリエイトモジュールの送信を行う。アフィリエイトモジュールを組み込んだＳＮ端末２には図４に示すようにアフィリエイトモジュール２６が設けられる。
【００６６】
ついで、モール管理システム４は当該会員制コミュニティサイトの会員の情報である会員ＩＤと氏名などの情報をモール管理システム４に送信する。なお、この送信の後に会員制コミュニティサイトに加わった会員の情報は、その都度モール管理システム４に送信される。モール管理システム４は、当該ＳＮ端末２が管理運営する会員制コミュニティサイト用の会員情報データベース３４を作成し、当該データベースにこの情報を格納すると共に、上述した商品の購入に関する当該会員の情報について管理を行う。また、ＳＮ端末２は、当該モール管理システムが運営する会員制コミュニティサイトにアフィリエイトページを作成してｗｅｂデータ３７に送信する。
【００６７】
以上説明したように、本実施形態にかかる商品の販売管理システムによれば、会員制コミュニティサイト内においてショッピング機能を付与することができるため、当該会員同士の密接なつながりを利用して商品の紹介、購入を行うことができる。このことはいわゆる口コミによる商品宣伝を行うことによって購入者の購入意識を強く刺激するとともに、商品を紹介した者にとっては、自分の紹介を介して他の会員が商品を購入するとポイントが発生するため、商品紹介の動機付けとなる。また、商品を紹介するページが自分のページであり、知人が頻繁に閲覧することから、自己が自信を持ってお勧めできる商品以外の掲載をやめる方向に意識が働き、よい商品の選別が行われるとともに、むやみな商品紹介が行われることがない。
【００６８】
なお、本発明は前記実施形態に限定されるものではなく、その他種々の態様で実施可能である。特に、本実施形態においてはモール管理システム４のサーバ構成を会員制コミュニティサイトの会員の管理を行うためのフロントサーバと販売者の管理を行うためのセンターサーバの２つに分割しているが、これを１つにまとめることもできるし、別のサーバを追加して、例えば、商品購入の統計、ポイント演算などを独自に行うように構成してもよい。この場合、これらのサーバのファイルはＮＦＳで接続し、互いに共有にしておくことが好ましい。
【図面の簡単な説明】
【００６９】
【図１】本発明の実施形態にかかる商品の販売管理システムのネットワーク構成を示す図である。
【図２Ａ】会員端末に表示される会員制コミュニティサイトのトップページの画面表示例を示す図である。
【図２Ｂ】会員端末に表示される会員制コミュニティサイトのアフィリエイトページの画面表示例を示す図である。
【図３】会員制コミュニティサイトのモール管理システムの概略構成を示すブロック図である。
【図４】図１の商品販売管理システムの各端末の位置づけを説明する図である。
【図５】モール管理システムの概略構成を示すブロック図である。
【図６Ａ】モール管理システムにアクセスした端末に表示されるトップ画面の表示例を示す図である。
【図６Ｂ】モール管理システムにアクセスした端末に表示されるトップ画面の表示例を示す図である。
【図７】販売者端末が販売者用トップ画面の販売者登録ボタンを操作したときに表示される画面の表示例である。
【図８】商品登録画面の画面表示例である。
【図９】アフィリエイトページに商品リンクを作成する処理の流れを示すフローである。
【図１０】商品検索画面の画面表示例である。
【図１１】アフィリエイトモジュールの構成を示すブロック図である。
【図１２】ＥＣサイトの画面表示例である。
【符号の説明】
【００７０】
１  商品の販売管理システム
２  ＳＮ端末
３  会員端末
４  モール管理システム
４ａ  センターサーバ
４ｂ  フロントサーバ
５  販売者端末
２０，３１，３８  制御演算部
２４  会員データベース
２５  会員情報管理データベース
２６  アフィリエイトモジュール
３２  販売者データベース
３３  登録商品データベース
３５  商品分類テーブル
４０  会員情報データベース
４２  コメントデータベース
４３  購入予定品データベース
４４  商品管理データベース
４５  購入商品履歴データベース
５２ａ  購入商品ログ
【図１】
2007164716.tif 000003
【図２Ａ】
2007164716.tif 000004
【図２Ｂ】
2007164716.tif 000005
【図３】
2007164716.tif 000006
【図４】
2007164716.tif 000007
【図５】
2007164716.tif 000008
【図６Ａ】
2007164716.tif 000009
【図６Ｂ】
2007164716.tif 000010
【図７】
2007164716.tif 000011
【図８】
2007164716.tif 000012
【図９】
2007164716.tif 000013
【図１０】
2007164716.tif 000014
【図１１】
2007164716.tif 000015
【図１２】
2007164716.tif 000016